(57)【要約】【課題】  電子投票における候補の選択操作を簡略化する。【解決手段】  投票可能な最初の選挙がタイプ２か否かを判別する（図２，Ｓ２１）。選挙がタイプ２であると判定されたときには（Ｓ２１，ＹＥＳ）、ステップＳ２２に進み、候補者を全て選択状態にする全選択ボタンのある候補選択画面を表示する。このタイプ２の候補選択画面においては、投票者は、全選択ボタンを操作することにより、そのとき画面に表示されている全候補者を１回の操作で選択することができるので投票のためのボタンの操作回数を減らすことができる。【選択図】図２
2005196287.tif 000002
【特許請求の範囲】
【請求項１】
少なくとも候補を個別に選択するタイプの投票か、複数の候補を全て選択可能なタイプの投票のいずれであるかを示す選択タイプ情報を記憶手段に記憶させ、
前記記憶手段に記憶されている選択タイプ情報を参照して、実行する投票が複数の候補を全て選択可能なタイプの投票か否かを判断させ、複数の候補を全て選択可能な選択タイプの投票と判断した場合に、電子投票機の表示装置の候補選択画面に複数の候補を全て選択する全選択ボタンを表示させ、
前記全選択ボタンが操作されたとき、前記候補選択画面に表示されている全候補を選択状態に設定させる電子投票の候補選択方法。
【請求項２】
複数の候補名と、複数のグループの中の特定のグループに選択した候補を割り当てる複数のグループ選択ボタンとを、電子投票機の表示装置の同一の候補選択画面に表示させ、
前記候補選択画面において、第１の候補が選択された状態で、前記複数のグループ選択ボタンの中の第１のグループ選択ボタンが操作されたとき、前記第１の候補を第１のグループに選択された状態に設定させ、第２の候補が選択された状態で、第２のグループ選択ボタンが操作されたとき、前記第２の候補を第２のグループに選択された状態に設定させる電子投票の候補選択方法。
【請求項３】
少なくとも候補を個別に選択するタイプの投票か、複数のグループの中の特定のグループに選択した候補を割り当てるタイプの投票のいずれであるかを示す選択タイプ情報を記憶手段に記憶させ、
前記記憶手段に記憶されている選択タイプ情報を参照して、実行する投票がグループ選択を行うタイプの投票と判断した場合に、前記同一の候補選択画面に、複数の候補名と、前記複数のグループ選択ボタンとを表示させる請求項２記載の電子投票の候補選択方法。
【請求項４】
電子投票に用いられる電子投票機であって、
候補を個別に選択するタイプの投票か、複数の候補を全て選択可能なタイプの投票のいずれであるかを示す選択タイプ情報を記憶する記憶手段と、
前記記憶手段に記憶されている選択タイプ情報を参照して、実行する投票が複数の候補を全て選択可能な投票か否かを判断する選択タイプ判断手段と、
前記選択タイプ判断手段により複数の候補を全て選択可能なタイプの投票と判断された場合に、候補選択画面に複数の候補を全て選択する全選択ボタンを表示させる表示手段と、
前記候補選択画面の前記全選択ボタンが操作された時、前記複数の候補を選択状態に設定する候補選択手段とを備える電子投票機。
【請求項５】
電子投票に用いられる電子投票機であって、
同一の候補選択画面に、複数の候補名と、複数のグループの中の特定のグループに選択した候補を割り当てる複数のグループ選択ボタンとを表示する表示手段と、
前記候補選択画面において、第１の候補が選択された状態で、前記複数のグループ選択ボタンの中の第１のグループ選択ボタンが操作されたとき、前記第１の候補を第１のグループに選択された状態に設定し、第２の候補が選択された状態で、第２のグループ選択ボタンが操作されたとき、前記第２の候補を第２のグループに選択された状態に設定する候補選択手段とを備える電子投票機。
【請求項６】
前記表示手段は、同一の候補選択画面に、複数の候補名と、前記複数のグループ選択ボタンと、前記複数の候補を全て１つのグループに割り当てる複数のグループ全選択ボタンとを表示し、
前記候補選択手段は、前記グループ全選択ボタンが操作されたとき、前記候補選択画面に表示されている全ての候補を、操作されたグループ全選択ボタンに対応するグループに選択された状態に設定する請求項５記載の電子投票機。
【請求項７】
インターネットを介して複数の端末装置と投票サーバとの間でデータを送受信して投票を行う電子投票の候補選択方法であって、
投票サーバの表示制御手段が、端末装置の表示装置の同一の候補選択画面に、複数の候補名と、選択した候補を特定のグループに割り当てる複数のグループ選択ボタンとを表示させ、
前記端末装置の表示装置に表示される同一の候補選択画面上で、前記複数の候補の中の第１の候補が選択された状態で、前記複数のグループ選択ボタンの中の第１のグループ選択ボタンが操作されたとき、前記第１の候補を第１のグループに選択された状態にする選択データを作成し、同一の候補選択画面上で、第２の候補が選択された状態で、第２のグループ選択ボタンが操作されたとき、該第２の候補を第２のグループに選択された状態にする選択データを作成し、投票内容を確定するボタンが操作されたとき、確定した選択データを投票データとして送信させるインターネットを利用した電子投票の候補選択方法。
【請求項８】
インターネットを介して複数の端末装置とサーバとの間でデータを送受信して投票を行う電子投票システムの投票サーバであって、
端末装置の表示装置の同一の候補選択画面に、複数の候補名と、選択した候補を特定のグループに割り当てる複数のグループ選択ボタンとを表示させる表示制御手段と、
前記同一の候補選択画面上で、前記複数の候補の中の第１の候補が選択された状態で、前記複数のグループ選択ボタンの中の第１のグループ選択ボタンが操作されたとき、前記第１の候補を第１のグループに選択された状態にする選択データを作成させ、同一の候補選択画面上で、第２の候補が選択された状態で、第２のグループ選択ボタンが操作されたとき、該第２の候補を第２のグループに選択された状態にする選択データを作成させ、投票内容を確定するボタンが操作されたとき、確定した選択データを投票データとして送信させる投票データ送信制御手段とを備える電子投票システムの投票サーバ。
【請求項９】
複数の前記端末装置から送信される投票データを受信する受信手段と、
前記複数の端末装置の投票データに基づいて、前記複数の候補がどのグループに選択されたかを示す集計結果を算出する集計手段を有する請求項８記載の電子投票システムの投票サーバ。
【発明の詳細な説明】
【技術分野】
【０００１】
本発明は、電子投票の候補選択方法、電子投票機、インターネットを利用した電子投票の候補選択方法及び投票サーバに関する。
【背景技術】
【０００２】
電子投票が地方選挙の段階で次第に導入されつつあり、将来的には国政選挙にも導入されることが予想される。
一般的な選挙の投票では、電子投票機の表示装置に複数の候補者が表示され、投票者がそれらの候補者の中の特定の候補者を選択して投票ボタンを操作することで投票が確定する。
【０００３】
選挙種別によっては、同時に複数の候補者を選択することのできる選挙もある。例えば、最高裁の裁判官の不信任の審査では、信任しない裁判官が複数いる場合には、複数の人を選択する必要がある。
【０００４】
複数の候補者を簡易に選択するために、例えば、特許文献１には、ペン（スタイラス）による座標入力ボードを表示面に重ねて設け、表示画面に表示された候補者をペン操作により選択することで、各候補者と対応づけられた詳細情報が表示画面に表示されることが記載されている。
【０００５】
この特許文献１に記載の発明は、複数の候補者を個別に選択することで複数の候補者を選択して投票することが可能である。また、任意の複数の候補者の詳細情報を表示画面に表示させることができるので、複数の候補者に関する詳細情報を簡易な操作で取得できるという効果が得られる。
【特許文献１】特開平６−１８０７０７号公報（図１０）
【特許文献２】特開平８−４４９１９号公報
【発明の開示】
【発明が解決しようとする課題】
【０００６】
特許文献１記載の発明では、複数候補を選択するためには、候補者を個々にペンを操作して選択する必要があり、候補者選択のための操作が煩雑である。
本発明の課題は、電子投票における候補者の選択操作を簡単にすることである。
【課題を解決するための手段】
【０００７】
本発明の電子投票の候補選択方法は、少なくとも候補を個別に選択するタイプの投票か、複数の候補を全て選択可能なタイプの投票のいずれであるかを示す選択タイプ情報を記憶手段に記憶させ、前記記憶手段に記憶されている選択タイプ情報を参照して、実行する投票が複数の候補を全て選択可能なタイプの投票か否かを判断させ、複数の候補を全て選択可能な選択タイプの投票と判断した場合に、電子投票機の表示装置の候補選択画面に複数の候補を全て選択する全選択ボタンを表示させ、前記全選択ボタンが操作されたとき、前記候補選択画面に表示されている全候補を選択状態に設定させる。
【０００８】
この発明によれば、実行する投票が複数の候補を全て選択可能なタイプの選挙である場合には、全選択ボタンを１回操作するだけで全ての候補を選択することができるので、電子投票における候補者の選択操作が簡単になる。
【０００９】
本発明の他の電子投票の候補選択方法は、複数の候補名と、複数のグループの中の特定のグループに選択した候補を割り当てる複数のグループ選択ボタンとを、電子投票機の表示装置の同一の候補選択画面に表示させ、前記候補選択画面において、第１の候補が選択された状態で、前記複数のグループ選択ボタンの中の第１のグループ選択ボタンが操作されたとき、前記第１の候補を第１のグループに選択された状態に設定させ、第２の候補が選択された状態で、第２のグループ選択ボタンが操作されたとき、前記第２の候補を第２のグループに選択された状態に設定させる。
【００１０】
この発明によれば、複数の候補を複数のグループのどれかに割り当てる選択を行う場合に、複数のグループ選択ボタンを操作することで複数のグループの選択操作を同一の候補選択画面で行うことができる。これにより、グループ選択画面を切り換えてグループの選択を行う必要がなくなるので選択操作が簡略化される。
【００１１】
本発明は、インターネットを介して複数の端末装置と投票サーバとの間でデータを送受信して投票を行う電子投票の候補選択方法であって、投票サーバの表示制御手段が、端末装置の表示画面の候補選択画面に、複数の候補名と、選択した候補を特定のグループに割り当てる複数のグループ選択ボタンとを表示させ、前記表示装置に表示される同一の候補選択画面上で、前記複数の候補の中の第１の候補が選択された状態で、前記複数のグループ選択ボタンの中の第１のグループ選択ボタンが操作されたとき、前記第１の候補を第１のグループに選択された状態にする選択データを作成し、同一の候補選択画面上で、第２の候補が選択された状態で、第２のグループ選択ボタンが操作されたとき、該第２の候補を第２のグループに選択された状態にする選択データを作成し、選択内容を確定するボタンが操作されたとき、確定した前記選択データを投票データとして前記投票サーバに送信させる。
【００１２】
この発明によれば、インターネットを利用して電子投票を行う場合に、端末装置の同一の候補選択画面に候補名と複数のグループ選択ボタンを同時に表示させることで、複数のグループの選択操作を同一の候補選択画面上で行うことができる。これにより、グループ選択のための操作を簡単にできる。
【００１３】
本発明の投票サーバは、インターネットを介して複数の端末装置とサーバとの間でデータを送受信して投票を行う電子投票システムの投票サーバであって、端末装置の表示装置の同一の候補選択画面に、複数の候補名と、選択した候補を特定のグループに割り当てる複数のグループ選択ボタンとを表示させる表示制御手段と、前記同一の候補選択画面上で、前記複数の候補の中の第１の候補が選択された状態で、前記複数のグループ選択ボタンの中の第１のグループ選択ボタンが操作されたとき、前記第１の候補を第１のグループに選択された状態にする選択データを作成させ、同一の候補選択画面上で、第２の候補が選択された状態で、第２のグループ選択ボタンが操作されたとき、該第２の候補を第２のグループに選択された状態にする選択データを作成させ、投票内容を確定するボタンが操作されたとき、確定した選択データを投票データとして送信させる投票データ送信制御手段とを備える。
【００１４】
この発明によれば、インターネットを利用して電子投票を行う場合に、複数のグループの選択操作を同一の候補選択画面上で行うことができるのでグループ選択のための操作を簡単にできる。
【００１５】
上記の発明において、複数の端末装置から送信される投票データを受信する受信手段と、前記複数の端末装置の投票データに基づいて、前記複数の候補がどのグループに選択されたかを示す集計結果を算出する集計手段を有する。
【００１６】
このように構成することでインターネットを介して複数の端末装置から送信される投票データを集計することができる。
【発明の効果】
【００１７】
本発明によれば、全選択ボタンを１回操作するだけで全ての候補を選択することができるので電子投票における候補者の選択操作が簡単になる。また、複数の候補を複数のグループのどれかに割り当てる選択を行う場合に、グループ選択ボタンを操作することで複数のグループへの選択操作を同一の候補選択画面上で行うことができる。これによりグループの選択操作が簡単になる。また、インターネットを利用した電子投票において、端末装置側での電子投票の入力操作を簡略化できる。
【発明を実施するための最良の形態】
【００１８】
以下、本発明の実施の形態を図面を参照して説明する。図１は、実施の形態の電子投票システムのシステム構成を示す図である。
選挙管理委員会システムは、選挙情報入力端末１１から、選挙の種類と候補者名等を入力し、投票所で使用する選挙情報インストールディスク１２を作成する機能を有する。また、各投票所単位で選挙データを記録する投票データの記録媒体１３を作成する機能を有する。
【００１９】
投票所システムは、投票カードの発行端末２１、投票所サーバ２２及び電子投票機２３とからなる。
開票所システムは、開票サーバ３１と複数台の開票装置３２とからなる。
【００２０】
選挙管理委員会システムを利用して作成された選挙情報インストールディスク１２と投票データを記録するための投票データの記録媒体１３が各投票所に配布される。選挙情報インストールディスク１２は、各投票所において、投票カード発行端末２１及び投票サーバ２２を起動するとき起動ディスクとして使用される。投票データの記録媒体１３は、光磁気ディスク、ＩＣカード等からなる。
【００２１】
また、選挙情報インストールディスク１２は、開票所の開票サーバ３１を起動するためのインストールディスクとして使用される。
投票所の電子投票機２３を利用して投票が行われ、投票データが投票所サーバ２２に送信されると、投票所サーバ２２によりその投票データが投票データの記録媒体１３に書き込まれる。投票が終了した段階で投票データの記録媒体１３が開票所に搬送される。そして、開票所の開票装置３２により投票データの記録媒体１３に記録された投票データの集計が行われる。各開票装置３２の集計結果が開票サーバ３１でさらに集計される。
【００２２】
電子投票機２３のハードウェア構成は図示していないが、処理を実行するＣＰＵ、処理結果を一時記憶するメモリ、プログラムを記憶するハードディスク、記録媒体の読み取り及び書き込みを行う媒体読み取り・書き込み装置等からなる。
【００２３】
次に、図２は、電子投票機２３の動作を示すフローチャートである。以下の処理は、電子投票機２３の制御部（ＣＰＵ）により実行される。
最初に電子投票機２３を起動させる（図２，Ｓ１１）。次に、投票所サーバ２２から選挙情報を取得する（図２，Ｓ１２）。
【００２４】
次に、「投票カードを入れてください」とのメッセージを表示して、投票カードの挿入待ち状態となる（図２，Ｓ１３）。
投票者により投票カードが挿入されると、投票カードに記録されているカード情報を読み取り、投票カード発行端末２１等にカード情報を照会する（図２，Ｓ１４）。投票カードが発行されてからの経過時間が、発行有効時間以内かどうかを判別する（図２，Ｓ１５）。
【００２５】
投票カードのカード発行時間が無効の場合、つまり投票カードが発行されてから一定時間以上経過している場合には、ステップＳ１６に進み、エラー画面を表示して投票カードを排出する。さらに、その投票カードが、投票者により抜き取られたか否かを判別し（図２，Ｓ１７）、投票カードが抜き取られたなら、ステップＳ１３に戻り、投票カードの挿入待ち状態となる。
【００２６】
ステップＳ１５において、投票カードの発行時間が有効と判断されたときには（Ｓ１５，ＹＥＳ）、ステップＳ１８に進み、未投票の選挙が存在するか否かを判別する。
未投票の選挙が存在する場合には（Ｓ１８，ＹＥＳ）、ステップＳ１９に進み、投票可能な最初の選挙はタイプ１か否かを判別する。未投票の選挙が存在しない場合には（Ｓ１８，ＮＯ）、上記のステップＳ１６に進み、エラー画面を表示する。
【００２７】
投票可能な最初の選挙がタイプ１と判定されたときには（Ｓ１９，ＹＥＳ）、ステップＳ２０に進み、複数の候補者の中から１名のみを選択する候補選択画面を表示する。
他方、ステップＳ１９において、選挙がタイプ１ではないと判定されたときには（Ｓ１９，ＮＯ）、ステップＳ２１に進み、選挙がタイプ２か否かを判別する。
【００２８】
投票可能な最初の選挙がタイプ２であると判定されたときには（Ｓ２１，ＹＥＳ）、ステップＳ２２に進み、候補者を全て選択状態にする全選択ボタンのある候補選択画面を表示する。
【００２９】
他方、ステップＳ２１において、選挙がタイプ２ではないと判定されたときには（Ｓ２１，ＮＯ）、ステップＳ２３に進み、投票可能な最初の選挙がタイプ３であると判定する。そして、次のステップＳ２４で、グループ選択ボタンのある候補選択画面を表示する。
【００３０】
これらの処理により、電子投票機２３の表示装置には、複数の候補者名が表示されて投票者がそれらの候補者の中から一人を選択するタイプ１の候補選択画面、複数の候補者を同時に選択する全選択ボタンが表示されるタイプ２の候補選択画面、あるいは、複数の候補名とグループ選択ボタンが表示されるタイプ３の候補選択画面の何れかが表示される。
【００３１】
従って、タイプ２の候補選択画面においては、投票者は、全選択ボタンを操作することにより、そのとき画面に表示されている全候補者を１回の操作で選択することができるので投票のためのボタンの操作回数を減らすことができる。また、タイプ３の選択画面においては、複数の候補名と複数のグループ選択ボタンが同一の候補選択画面に表示されるので、グループの選択の際に、選択画面を切り換える必要が無く、グループの選択操作が簡略化される。
【００３２】
上述したタイプ１，タイプ２またはタイプ３の候補選択画面で候補が選択され、あるいは候補の選択が行われず、投票ボタンが押下されたのを検出したなら（図２，Ｓ２５）、選択された候補を示す投票データ（候補が非選択の投票データを含む）を投票所サーバ２２に登録する（図２，Ｓ２６）。そして、投票カードのカード情報の該当する選挙を投票済みに書き換える（図２，Ｓ２７）。
【００３３】
次に、投票カードに未投票の選挙が存在しないか否かを判別する（図２，Ｓ２８）。未投票の選挙が存在する場合には（Ｓ２８，ＮＯ）、ステップＳ１９に戻り上述した処理を繰り返す。
【００３４】
他方、ステップＳ２８において、未投票の選挙が存在しないと判定されたときには（Ｓ２８，ＹＥＳ）、ステップＳ２９に進み、全選挙終了画面を表示し、投票カードを排出する。その後、投票締め切り指示を受信したか否かを判別し（図２，Ｓ３０）、投票締め切り指示を受信した場合には、電子投票プログラムを終了し、電源をシャットダウンさせる（図２，Ｓ３１）。
【００３５】
ここで、選挙情報インストールディスク１２を作成する際の選択タイプの設定及び実施選挙の設定方法を図３及び図４を参照して説明する。
図３に示す選択タイプの設定画面では、使用する選択タイプ１〜３と、選択可能な上限数、下限数、全て選択ボタンを使用するか否か等の条件を設定することができる。
【００３６】
選択タイプ１については、候補は一人（または１つ）しか選択できないので、上限数として「１」が、下限数として「０」が設定される。
選択タイプ２に関しては、上限数及び下限数をユーザが任意に設定し、全て選択ボタンを表示させるか否かを決めるチェックボックスを有効または無効にし、ボタンのタイトル名を入力する。図３の例は、候補者全てを不信任にする全て選択ボタンを有効にして、候補選択画面に全選択ボタンを表示させる場合を示している。
【００３７】
選択タイプ３に関しては、上限数及び下限数をユーザが任意に設定し、グループ選択ボタン及びグループの全選択ボタンを表示させるか否かを決めるチェックボックスを有効または無効に設定し、グループ名を入力する。図３の例は、グループ選択ボタンを有効にして、「年内に必要」というグループ選択ボタン、「いずれ必要」というグループ選択ボタンを、候補選択画面に表示させる場合を示している。
【００３８】
図４は、実施選挙の設定画面を示す図である。選挙の執行日、選挙名、その読みを入力し、投票タイプが、候補者を一覧式で表示するか、テンキーで候補者番号を入力するか、五十音式で表示されせるかの何れであるかを設定する。また、選択タイプがタイプ１〜３の何れかを設定する。
【００３９】
上記の選択タイプの設定画面及び実施選挙の設定画面で設定される選択タイプに関するデータ（選択タイプ情報）及び選挙に関する情報は、選挙情報インストールディスク１２に記録され、各投票所の投票所サーバ２２、あるいは電子投票機２３により選挙情報インストールディスク１２が読み取られる際に、電子投票機のメモリ（記憶部）等に格納される。
【００４０】
次に、以上のようにして選択タイプが設定されたときの候補選択画面の表示処理を、図５のフローチャートを参照して説明する。
最初に、表示すべき選挙名Ｚを取得する（図５，Ｓ４１）。次に、候補ラベルＸ１〜Ｘｍ（表示画面の候補者名を指定する変数）に、選挙名に対応する候補名を代入する（図５，Ｓ４２）。
【００４１】
次に、上述した選択タイプ設定画面において設定された、選挙名の選択タイプを取得する（図５，Ｓ４３）。
次に、その選択タイプにグループ選択ボタンが有りに設定されているか否かを判別する（図５，Ｓ４４）。
【００４２】
グループ選択ボタン有りに設定されている場合には（Ｓ４４，ＹＥＳ）、グループ全選択ボタン有りに設定されているか否かを判別する（図５，Ｓ４５）。
グループ全選択ボタン有りに設定されている場合には（Ｓ４５，ＹＥＳ）、ステップＳ４６に進み、全選択グループの変数Ｂ１〜Ｂｎに、上述した選択タイプ設定画面で設定されたグループ名を代入する。このグループ名は、投票所サーバ２２、あるいは電子投票機２３により選挙情報新ストールディスク１２から読み取られて内部のメモリ等に格納される。
【００４３】
次に、全候補を特定のグループと関連づける選択操作を可能にするｎ個のグループ全選択ボタンＢ１〜Ｂｎを表示させるために、候補選択画面の全選択グループ表示エリアにグループ全選択ボタンＢ１〜Ｂｎを配置する（図５，Ｓ４７）。
【００４４】
次に、グループを個別に選択するための選択グループの変数Ａ１〜Ａｎにグループ名を代入する（図３，Ｓ４８）。さらに、各候補を個別にグループと関連づける選択操作を可能にするｎ個のグループ選択ボタン表示させるために、候補選択画面の選択グループ表示エリアにＡ１〜Ａｎのｎ個のボタンを配置する（図５，Ｓ４９）。次に、選択タイプ設定画面で設定された上限数と下限数を取得する（図５，Ｓ５０）。
【００４５】
次に、グループ選択ボタンの表示エリアＡ１〜Ａｎと、グループ全選択ボタンの表示エリアＢ１〜Ｂｎを除いたエリアに候補名を表示する表示エリアを設ける（図５，Ｓ５１）。
【００４６】
次に、候補選択画面の候補表示エリアにｍ個の候補ラベルＸ１〜Ｘｍを配置し、さらに選挙名ラベルＺを配置する（図５，Ｓ５２）。これにより、候補選択画面の候補表示エリアに候補名Ｘ１〜Ｘｍが表示され、選挙名表示エリアに選挙名Ｚが表示される。
【００４７】
ステップＳ４４でグループ選択無しが設定されていると判別された場合には（Ｓ４４，ＮＯ）、ステップＳ５３に進み、全選択ボタン有りに設定されているか否かを判別する。
全選択ボタン有りに設定されている場合には（Ｓ５３，ＹＥＳ）、ステップＳ５４に進み、メモリから全選択ボタン名Ｃを取得する。そして、グループ全選択ボタンの表示エリアに全選択ボタンＣを配置する（図５，Ｓ５５）。
【００４８】
次に、選択可能な上限数、下限数を取得し（図５，Ｓ５６）、全選択ボタンの表示領域Ｃを除いた領域に候補表示エリアを設定する（図５，Ｓ５７）。
ステップＳ５３において、全選択ボタン無しに設定されていると判別された場合には（Ｓ５３，ＮＯ）、ステップＳ５８に進み、全選択ボタンが表示されない一般の選挙画面を表示する。そして、候補者の選択可能上限数と下限数を取得する（図５，Ｓ５９）。そして、候補選択画面の候補者の表示エリアを算出する（図５，Ｓ６０）。その後、上述したステップＳ５２の処理を実行する。
【００４９】
最後に、上記の処理により各表示エリアのデータを表示して候補選択画面を表示する（図５，Ｓ６１）。
次に、本発明の第１の実施の形態の投票処理を、図６のフローチャートと図７の表示例を参照して説明する。第１の実施の形態は、候補選択画面に全選択ボタンを表示させ、全候補を同時に選択できるようにしたものである。
【００５０】
最初に、候補選択画面を表示する（図６，Ｓ７１）。候補選択画面としては、図７（Ａ）に示すような選択画面が表示される。図７は、最高裁裁判官の国民審査を行う候補選択画面であり、信任しない裁判官を選択して投票する形式となっている。
【００５１】
図７（Ａ）の候補選択画面の中央に複数の候補者名が表示され、各候補者名の上部に候補の選択欄が表示される。また、画面の右側に全候補を同時に選択する全選択ボタンである「全て不信任」ボタンが表示され、画面の下側に投票ボタンである「投票する」ボタンが表示される。
【００５２】
候補選択画面において、全候補選択ボタン（図７（Ａ）の「全て不信任」ボタン）が操作されたか否かを判別する（図６、Ｓ７２）。全候補選択ボタンが操作されていない場合には（Ｓ７２，ＮＯ）、ステップＳ７３に進み、特定の候補が選択されたか否かを判別する（図６，Ｓ７３）。
【００５３】
特定の候補が選択された場合には（Ｓ７３，ＹＥＳ）、ステップＳ７４に進み、選択された候補数が上限値以下か否かを判別する。
投票者により選択された候補数が、予め設定されている上限値を超えている場合には（Ｓ７４，ＮＯ）、ステップＳ７５に進み、選択済の候補の解除を要請するメッセージを表示装置に表示する。
【００５４】
ステップＳ７４において、選択された候補数が所定の上限値以下であると判別された場合には（Ｓ７４，ＹＥＳ）、ステップＳ７６に進み、該当する候補の選択中フラグｆｌｇに「１」を設定し、選択された候補の確認画面を表示する。
【００５５】
図７（Ｂ）は、選択内容確認画面の一例を示す図である。確認画面の中央に複数の候補名が表示され、選択された候補の上部の選択欄に不信任であることを示す「×」が表示され、画面の下部に選択内容を確定させる「はいボタン」と、選択を解除する「いいえボタン」が表示される。図７（Ｂ）は、「全て不信任ボタン」が操作されて全候補が同時に選択されたときの状態を示している。
【００５６】
次に、確認画面において、選択内容を確定させる「はい」ボタン、あるいは選択内容を元に戻す「いいえ」ボタンが操作されたか否かを判別する（図６，Ｓ７７）。
ステップＳ７７において、「いいえ」ボタンが操作されたと判別されたときには（Ｓ７７、いいえ）、ステップＳ７８に進み、選択中フラグが「１」に設定されている候補の選択中フラグを「０」に変更して、ステップＳ７１に戻る。
【００５７】
すなわち、確認画面において、「いいえ」ボタンが操作されると、選択された候補の選択が解除され、図７（Ｂ）の候補名の上の選択欄の「×」の表示が消える。
他方、ステップＳ７７において、「はい」ボタンが操作されたと判別されたときには（Ｓ７７，はい）、ステップＳ７９に進み、選択中フラグが「１」の候補の選択済フラグを「１」にし、選択されていない候補の選択中フラグは「０」のままにする。そして、「はい」、「いいえ」ボタンの表示を消して代わりに「投票する」ボタンを表示し、選択が確定した候補名の上の選択欄に「×」を表示する（図６，Ｓ８０）。
【００５８】
すなわち、選択内容確認画面において「はい」ボタンが操作されると、図７（Ｃ）に示すような投票画面に切り替わり、候補名の下側に「投票する」ボタンが表示される。
ステップＳ７２において、全候補選択ボタンが操作されたと判別された場合には（Ｓ７２，ＹＥＳ）、ステップＳ８３に進み、全ての候補の選択中フラグを「１」にし、全候補の選択内容確認画面を表示した後、ステップＳ７７に進む。
【００５９】
すなわち、図７（Ａ）の候補選択画面において、全選択ボタン（「全て不信任」ボタン）が操作されると、画面に表示されている全ての候補者が同時に選択され、図７（Ｂ）に示す選択内容確認画面に切り替わる。
【００６０】
従って、投票者は、候補者を全て選択する場合には、個々の候補者を選択する操作（図７の例では、５回の選択操作）を行わなくとも、「全て不信任」ボタンを一度操作するだけで全候補者を選択することができる、これにより、投票操作が簡単になり、投票時間の短縮を図れる。
【００６１】
また、ステップＳ７３において、候補が選択されていないと判別された場合には（Ｓ７３，ＮＯ）、ステップＳ８１に進み、選択済みの候補者の選択を解除する操作が行われたか否かを判別する。選択を解除する操作が行われた場合には（Ｓ８１，ＹＥＳ）、ステップＳ８２に進み、該当する候補者に選択済フラグとして「０」を設定する。これにより、候補選択画面の候補の上部の選択欄の「×」の表示が消えて非選択状態となる。
【００６２】
候補の選択が終了して、「投票する」ボタンが押下されたのを検出すると（図６，Ｓ８４）、次のステップＳ８５に進み、確認画面から投票中画面に切り換える。そして、次のステップＳ８６で、選択済フラグｆｌｇが「１」の候補者に対する投票データを投票所サーバ２２に送信し、投票データの書き込みが成功したか否かを確認する。投票データの書き込みが成功したのを確認したなら、次のステップＳ８７で、投票完了画面を表示する。
【００６３】
上述した第１の実施の形態によれば、候補選択画面に候補名と共に表示される全選択ボタンを操作することで、１回の操作で全ての候補を同時に選択することができるので、候補の選択操作が非常に簡単になる。
【００６４】
次に、図８は、本発明の第２の実施の形態の投票処理のフローチャートである。この第２の実施の形態は、１つの候補選択画面に複数のグループ選択ボタンを表示させ、複数の候補を任意のグループに割り当てる選択操作を簡略化したものである。
【００６５】
以下、図８のフローチャートと図９の表示例を参照しながら第２の実施の形態の投票処理を説明する。
最初に、候補グループ選択画面を表示する（図８，Ｓ９１）。候補グループ選択画面としては、図９（Ａ）に示すような候補選択画面が表示される。この候補選択画面は、住民アンケートを行うための画面であり、表示されている複数の候補が、「年内に必要か」、「いずれ必要か」、「不要か」についての住民の意見を集計するためのものである。
【００６６】
図９（Ａ）の候補選択画面の中央には、複数の候補名（例えば、駅北口駐輪場新設、中央公民館前バス停新設など）が表示され、各候補名の上部に候補の選択欄が表示される。さらに、画面の右側にグループ単位の選択ボタンが３個表示され、そのグループ選択ボタンの下部に全ての候補を特定のグループに選択するグループ全選択ボタンが３個が表示される。
【００６７】
次に、候補の選択操作が行われたか否かを判別する（図８，Ｓ９３）。１または複数の候補が選択された場合には（Ｓ９３，ＹＥＳ）、次のステップＳ７４で、グループ選択ボタンが操作されたか否かを検出し、グループ選択ボタンが操作されたときには、ステップＳ９５において、選択数が上限数以下か否かを判別する。
【００６８】
選択された候補数が上限数を超えている場合には（Ｓ９５，ＮＯ）、ステップＳ９６に進み、選択済みの候補の選択解除を要請するメッセージを表示する。
他方、選択された候補数が上限数以下の場合には（Ｓ９５，ＹＥＳ）、ステップＳ９７に進み、選択された候補の選択中フラグｆｌｇを「１」にし、選択されたグループのグループ番号をその候補に設定し、画面を候補選択画面から選択内容確認画面に切り換える。
【００６９】
図９（Ｂ）は、選択内容確認画面の一例を示す図である。確認画面の中央には、複数の候補名が表示され、選択された候補の上部の選択欄には選択したグループ番号が表示され、画面の下部に選択内容を確定させる「はい」ボタンと、選択を解除する「いいえ」ボタンが表示される。
【００７０】
次に、確認画面において、選択内容を確定させる「はい」ボタン、あるいは選択内容を元に戻す「いいえ」ボタンが操作されたか否かを判別する（図８，Ｓ９８）。
ステップＳ９８において、「いいえ」ボタンが操作されたと判別されたときには（Ｓ９８、いいえ）、ステップＳ９９に進み、選択中フラグが「１」に設定されている候補の選択中フラグを「０」に変更して、ステップＳ９１に戻る。
【００７１】
すなわち、確認画面において、「いいえ」ボタンが操作されると、選択された候補の選択が解除され、図９（Ｂ）の候補名の上の選択欄のグループ番号「１」の表示が消える。
他方、ステップＳ９８において、「はい」ボタンが操作されたと判別されたときには（Ｓ９８，はい）、ステップＳ１００に進み、選択中フラグが「１」の候補の選択済フラグを「１」にし、選択されていない候補者の選択中フラグは「０」にする。そして、グループ選択が完了した候補の選択欄に指定されたグループ番号を表示する（図８，Ｓ１０１）。
【００７２】
すなわち、選択内容確認画面において、「はい」ボタンが操作されると、図９（Ｃ）に示すような投票画面に切り替わり、候補名の上にグループ番号が表示され、候補名の下に「投票する」ボタンが表示される。
【００７３】
ステップＳ９２において、グループ全選択ボタンが操作されたと判別された場合には（Ｓ９２，ＹＥＳ）、ステップＳ１０４に進み、全ての候補者の選択中フラグに「１」を設定し、選択確認画面の全候補の選択欄にグループ番号を表示する。その後、ステップＳ９８に進む。
【００７４】
すなわち、図９（Ａ）の候補選択画面において、グループ全選択ボタン（「すべて年内に必要」、「すべていずれ必要」、「すべて不要」のいずれかのボタン）が操作されると、図９（Ｂ）の選択内容確認画面に切り替わり、表示されている全ての候補に選択されたグループのグループ番号が設定表示される。
【００７５】
従って、投票者は、候補を全て特定のグループに選択する場合には、個々の候補を選択する操作（図９の例では、候補を５回の選択する操作）を行わなくとも、何れかのグループの全選択ボタンを一度操作するだけで全候補を特定のグループに選択することができるので住民アンケート等の入力操作が簡単になる。
【００７６】
また、ステップＳ９３において、候補が選択されていないと判別された場合には（Ｓ９３，ＮＯ）、ステップＳ１０２に進み、候補の選択を解除する操作が行われたか否かを判別する。
【００７７】
選択を解除する操作が行われた場合には（Ｓ１０２，ＹＥＳ）、ステップＳ１０３に進み、該当する候補に選択済フラグとして「０」を設定する。これにより、候補選択画面の候補の上部の選択欄のグループ番号の表示が消え、非選択状態となる。また、候補が選択されず、選択を解除する操作も行われない場合には（Ｓ１０２，ＮＯ）、ステップＳ１０５に進む。
【００７８】
投票画面において、「投票する」ボタンが押下されたのを検出すると（図９，Ｓ１０５）、次のステップＳ１０６に進み、投票中画面に切り換える。そして、選択済フラグｆｌｇが「１」の候補に対する投票データを投票所サーバ２２に送信し、投票データの書き込みが成功したか否かを確認する。投票データの書き込みが成功したのを確認したなら、次のステップＳ１０８で、投票完了画面を表示する。
【００７９】
上述した第２の実施の形態によれば、複数の候補名と、複数のグループ選択ボタンを、１つの候補選択画面に表示させることで、例えば、住民アンケートなどで、複数の候補を複数のグループのどれかに割り当てる選択を行う場合に、複数グループの選択を１つの候補選択画面の中で行うことができる。また、候補選択画面に複数のグループ全選択ボタンを表示させることで、グループ全選択ボタンを１回操作するだけで全候補を同時に特定のグループに選択することができる。これにより、アンケート等の入力操作が非常に簡単になる。
【００８０】
次に、図３は、本発明の第３の実施の形態の投票処理のフローチャートである。この第３の実施の形態は、家庭の端末装置からインターネットを介して電子投票を行えるようにした電子投票システムに関するものである。そして、第１または第２の実施の形態の全選択ボタン、あるいはグループ選択ボタンを、端末装置の候補選択画面に表示させ、投票者の入力操作を軽減するものである。
【００８１】
以下の処理は、インターネット上の電子投票所の投票サーバ（図示せず）により実行される。この投票サーバは、ネットワークに対応した機能を有しており、投票処理等については、図１の電子投票機２３及び投票所サーバ２２と同じ機能を有している。
【００８２】
投票者が電子投票所をアクセスすると、投票サーバの表示制御部が、投票者の端末装置に投票受付画面を表示させる（図１０，Ｓ１１１）。次に、市民カード番号、暗証番号の入力を受け付ける（図１０，Ｓ１１２）。
【００８３】
投票サーバの制御部が、入力された市民カード番号と暗証番号が、予め登録されている情報と一致するか否かを判別する（図１０，Ｓ１１３）。
入力された情報と登録されている情報が一致しない場合には（Ｓ１１３，ＮＯ）、ステップＳ１１４に進み、「入力が正しくありません」というメッセージを端末装置に表示させる。
【００８４】
入力された情報と登録されている情報が一致した場合には（Ｓ１１３，ＹＥＳ）、ステップＳ１１５に進み、投票状況を照会する。そして、入力された市民カード番号の人が投票可能な選挙が登録されているか否かを判別する（図１０，Ｓ１１６）。
【００８５】
投票可能な選挙が登録されていない場合には（Ｓ１１６，ＮＯ）、ステップＳ１１７に進み、投票可能な選挙が存在しないことを知らせるメッセージを、投票者の端末装置に表示させる。
【００８６】
他方、投票可能な選挙が登録されている場合には（Ｓ１１６，ＹＥＳ）、ステップＳ１１８に進み、投票状況フラグｆｌｇが「２」か否か、つまり全ての選挙の投票が完了しているか否かを判別する。
【００８７】
投票状況フラグが「２」で全ての投票が完了しているときには（Ｓ１１８，ＹＥＳ）、ステップＳ１１９に進み、全て選挙が投票済みであるとのメッセージを、投票者の端末装置に表示させる。
【００８８】
他方、投票状況フラグが「２」でないときには（Ｓ１１８，ＮＯ）、ステップＳ１２０に進み、ログインＩＤの入力画面を表示し、次のステップＳ１２１で、選挙の案内葉書に書かれているログインＩＤの入力を受け付ける。
【００８９】
次に、入力されたログインＩＤが、市民カード番号に対応して登録されているログインＩＤと一致するか否かによりログインＩＤが有効か否かを判別する（図１０，Ｓ１２２）。
【００９０】
ログインＩＤが無効な場合には（Ｓ１２２，ＮＯ）、ステップＳ１２３に進み、「入力が正しくありません」というメッセージを端末装置に表示させる。
他方、ログインＩＤが有効な場合には（Ｓ１２２、ＹＥＳ）、ステップＳ１２４に進み、投票状況フラグを「１」にする。そして、有効な最初の投票の候補選択画面を、端末装置に表示させる（図１０，Ｓ１２５）。その後、前述した図６または図８の投票処理を実行する。
【００９１】
全選挙の投票が完了したことを検出したなら（図１０，Ｓ１２６）、投票状況フラグに「２」を設定する（図１０，Ｓ１２７）。最後に、投票受付処理のログアウト処理を実行する（図１０，Ｓ１２８）。
【００９２】
上述した第３の実施の形態は、インターネットを利用した電子投票において、候補選択画面に全選択ボタンを表示させることで、複数の候補を選択する操作を１回のボタン操作で実現できるので電子投票の選択操作を簡略化できる。また、インターネットを利用した住民アンケートなどにおいて、候補選択画面に複数のグループ選択ボタンを設け、それらのボタンを操作することで、複数のグループの選択を１つの画面の中で行うことができる。これにより、アンケートの入力などにおいて、選択した候補を特定のグループに割り当てるグループ選択の操作を簡略化できる。さらに、候補を全て同一のグループに選択するグループ全選択ボタンを設けることで、複数の候補を全て特定のグループに選択する場合の操作回数を減らすことができる。このような効果、インターネットを利用して住民のアンケートを収集する場合などにおいて、住民が簡易にアンケートの入力を行う為に特に有効である。
【００９３】
本発明は、上述した実施の形態に限らず、以下のように構成しても良い。
本発明は、投票所における選挙の電子投票に限らず、インターネットを利用したアンケートの収集などにも適用できる。
【図面の簡単な説明】
【００９４】
【図１】電子投票システムの説明図である。
【図２】電子投票機の動作を示すフローチャートである。
【図３】選択タイプの設定画面を示す図である。
【図４】実施選挙の設定画面を示す図である。
【図５】候補選択画面の表示処理のフローチャートである。
【図６】第１の実施の形態の投票処理のフローチャートである。
【図７】第１の実施の形態の表示画面を示す図である。
【図８】第２の実施の形態の投票処理のフローチャートである。
【図９】第２の実施の形態の表示画面を示す図である。
【図１０】第３の実施の形態の投票処理のフローチャートである。
【符号の説明】
【００９５】
１１      選挙情報入力端末
１２      選挙情報インストールディスク
１３      選挙データの記録媒体
２１      投票カード発行端末
２２      投票所サーバ
２３      電子投票機
３１      開票所サーバ
３２      開票装置
【図１】
2005196287.tif 000003
【図２】
2005196287.tif 000004
【図５】
2005196287.tif 000005
【図６】
2005196287.tif 000006
【図８】
2005196287.tif 000007
【図１０】
2005196287.tif 000008
【図３】
2005196287.tif 000009
【図４】
2005196287.tif 000010
【図７】
2005196287.tif 000011
【図９】
2005196287.tif 000012